【手続補正書】
【提出日】平成19年4月17日(2007.4.17)
【手続補正１】
【補正対象書類名】明細書
【補正対象項目名】発明の名称
【補正方法】変更
【補正の内容】
【発明の名称】携帯用炭酸水洗浄器
【手続補正２】
【補正対象書類名】明細書
【補正対象項目名】特許請求の範囲
【補正方法】変更
【補正の内容】
【特許請求の範囲】
【請求項１】  一体の筐体からなる携帯用炭酸水洗浄器であって、前記筐体内に、原水を取水または貯水する原水供給部と、原水に炭酸ガスを添加して炭酸水化する炭酸ガス添加部と、炭酸水を身体の一部に向けて吐出する吐出部とを有することを特徴とする携帯用炭酸水洗浄器。
【請求項２】  原水供給部は筐体外部より原水を取水する取水管を具備し、炭酸ガス添加部は前記取水管内を流通する原水中に炭酸ガスを添加する添加装置であることを特徴とする請求項１に記載の携帯用炭酸水洗浄器。
【請求項３】  添加装置は逆止弁を有していることを特徴とする請求項２に記載の携帯用炭酸水洗浄器。
【請求項４】  原水供給部は原水を貯水する貯水タンクを具備し、炭酸ガス添加部は前記貯水タンク内に炭酸ガスを導入する散気管を有することを特徴とする請求項１に記載の携帯用炭酸水洗浄器。
【請求項５】  炭酸ガス添加部は、ガス透過性の非多孔質層を有する中空糸膜を具備した中空糸膜モジュールを備えていることを特徴とする請求項１〜４いずれか一項に記載の携帯用炭酸水洗浄器。
【請求項６】  筐体内には、原水または炭酸水を吐出部に送る送液手段がさらに収められていることを特徴とする請求項１〜５いずれか一項に記載の携帯用炭酸水洗浄器。
【請求項７】  筐体内には、炭酸ガス源がさらに収めら炭酸ガス源がさらに収められていることを特徴とする１〜６いずれか一項に記載の携帯用炭酸水洗浄器。
【請求項８】  筐体内には、さらに、原水供給部の周辺に加熱装置が設けれらたことを特徴とする１〜７いずれか一項に記載の携帯用炭酸水洗浄器。
【手続補正３】
【補正対象書類名】明細書
【補正対象項目名】０００１
【補正方法】変更
【補正の内容】
【０００１】
【発明の属する技術分野】本発明は、身体を洗浄するための洗浄器に関し、さらに詳しくは洗浄後も身体の血行を良好に維持できる携帯用炭酸水洗浄器に関する。
【手続補正４】
【補正対象書類名】明細書
【補正対象項目名】０００５
【補正方法】変更
【補正の内容】
【０００５】
【課題を解決するための手段】
本発明者らは、炭酸泉等の炭酸ガスを含んだ温水に入浴した場合には、炭酸ガスが皮膚から体内に吸収され、炭酸ガスの血管拡張効果により血行が改善され、更に炭酸泉入浴後には湯冷めしにくいという、炭酸水の有する血管拡張作用に注目し、鋭意検討した結果、本発明に到達したものである。
かかる課題は、一体の筐体からなる携帯用炭酸水洗浄器であって、前記筐体内に、原水を取水または貯水する原水供給部と、原水に炭酸ガスを添加して炭酸水化する炭酸ガス添加部と、炭酸水を身体の一部に向けて吐出する吐出部とを有することを特徴とする携帯用炭酸水洗浄器。によって解決できる。上記原水供給部は原水を取水する取水管を具備し、炭酸ガス添加部は前記取水管内を流通する原水中に炭酸ガスを添加する添加装置であることが好ましい。上記添加装置は逆止弁を有していることが好ましい。また、上記原水供給部は原水を貯水する貯水タンクを具備し、炭酸ガス添加部は前記貯水タンク内に炭酸ガスを導入する散気管を有することが好ましい。あるいは、上記炭酸ガス添加部はガス透過性の非多孔質層を有する中空糸膜を具備した中空糸膜モジュールを備えていることが好ましい。
【手続補正５】
【補正対象書類名】明細書
【補正対象項目名】００１３
【補正方法】変更
【補正の内容】
【００１３】
本発明の携帯用炭酸水洗浄器は、手、頭、足等の身体の特定の部分を洗浄する洗浄器として使用できる。
【手続補正６】
【補正対象書類名】明細書
【補正対象項目名】００１４
【補正方法】変更
【補正の内容】
【００１４】
本発明の携帯用炭酸水洗浄器は、少なくとも原水を貯水する貯水タンクと、炭酸ガス添加部と、送液手段とを１体の筐体内に収納し、さらに、原水に炭酸ガスが添加された炭酸水を身体の一部に向けて吐出する吐出部２５を備えて、炭酸水洗浄器を携帯可能にすることにより、例えば屋外での使用や、要介護者への使用も可能となる。
このような炭酸水洗浄器の具体的な一例として、原水を貯水する貯水タンク５として小型の密閉容器を使用し、図６および図７のような携帯用炭酸水洗浄器３０とすることができる。作動部２４内には、貯水タンク５と配管３７で接続している送液ポンプ３３と、貯水タンク５から送液された原水に炭酸ガスを添加する散気管６が炭酸ガス添加部として収められている。また電源部２３には電池が収められている。作動部２４内では散気管６と炭酸ガス供給口３１が開閉弁３２を介して接続されていて、外部から炭酸ガス供給口３１を通じて散気管６に炭酸ガスを供給できるようになっている。炭酸ガス供給口３１に接続する炭酸ガス源としては、炭酸ガスボンベの他、小型の炭酸ガス缶等を使用しても良い。
また、炭酸ガス添加部としてガス透過性の非多孔質層を有する中空糸膜を具備した中空糸膜モジュールを備えたものを使用してもよい。このような、携帯用炭酸水洗浄器３０は屋外での使用や、要介護者への使用も可能であり好ましい。なお、図７中、破線は電気的な接続を示し、操作部２１のスイッチを操作することによって、開閉弁３２および送液ポンプ３３の動作を制御できるようになっている。
【手続補正７】
【補正対象書類名】明細書
【補正対象項目名】００１５
【補正方法】変更
【補正の内容】
【００１５】
また更に、炭酸ガスを貯水タンク５内に供給する際の圧力を利用して送液することにより、送液ポンプ、電源等電気的設備を別途設ける必要がなくなり、より携帯性が向上し好ましい。例えば、図８に示す携帯用炭酸水洗浄器３０を好適な一例として挙げることができる。貯水タンク５内には散気管６が炭酸ガス添加部として収納されていて、この散気管６は炭酸ガス源を収める炭酸ガス源収納部３４と開閉弁３５を介して連結されている。ここで、炭酸ガス源としては小型の炭酸ガスボンベ、酸と炭酸塩等の反応により炭酸ガスを得る反応槽等を使用することができる。さらに貯水タンク５には開閉弁３６を有する吐出部２５が接続されている。この携帯用炭酸水洗浄器３０を使用する場合には、使用者は貯水タンク５に水または温水を入れ、開閉弁３５を開いて貯水タンク５内に炭酸ガスを供給し、炭酸ガスを水中に添加する。ついで、貯水タンク５内に炭酸ガス圧がかかった状態で吐出部２５の開閉弁３６を解放することにより吐出部２５から炭酸水を得ることができる。また、散気管６のかわりに、炭酸ガス添加部としてガス透過性の非多孔質層を有する中空糸膜を具備した中空糸膜モジュールを備えたものを使用してもよい。このように、携帯性に優れる構造とすることにより、例えば、要介護者の褥瘡治療のためのベット脇での温熱療法や、外出先での痔疾患者の排便後の始末等に使用することができる。この携帯用炭酸水洗浄器３０には、取水管２や貯水タンク５の周囲等にヒーター等の加熱装置を設け、炭酸水を昇温させる機能をさらに持たせると、炭酸ガスによる血管拡張効果がより向上し、血行がより改善され、炭酸泉に入浴した場合と同等の効果を局部的に簡便に得ることができ、非常に好ましい。
【手続補正８】
【補正対象書類名】明細書
【補正対象項目名】００１６
【補正方法】変更
【補正の内容】
【００１６】
【発明の効果】
本発明の携帯用炭酸水洗浄器は、一体の筐体からなる携帯用炭酸水洗浄器であって、前記筐体内に、原水を取水または貯水する原水供給部と、原水に炭酸ガスを添加して炭酸水化する炭酸ガス添加部と、炭酸水を身体の一部に向けて吐出する吐出部とを有するので、炭酸水を洗浄水として使用でき、洗浄時に炭酸ガスが皮膚から体内に吸
収され、炭酸ガスの血管拡張効果により血行が改善され、洗浄後も身体の血行を良好に維持できる。
原水供給部は原水を取水する取水管を具備し、炭酸ガス添加部は前記取水管内を流通する原水中に炭酸ガスを添加する添加装置であると、原水に簡便に炭酸ガスを添加できる。さらに添加装置は逆止弁を有していると、原水が炭酸ガス添加部内に逆流することを防ぐことができる。また、原水供給部は原水を貯水する貯水タンクを具備し、炭酸ガス添加部は貯水タンク内に炭酸ガスを導入する散気管を有することによって、さらに高濃度の炭酸水を得ることができ、身体の血行をより良好に維持できる。炭酸ガス添加部はガス透過性の非多孔質層を有する中空糸膜を具備した中空糸膜モジュールを備えていることによって、中空糸膜の多数の微細孔を介して原水と炭酸ガスを接触させることができるので、原水と炭酸ガスとの接触面積が大きく増加し、炭酸ガスの溶解効率が向上し、炭酸ガス添加部を小型化できる。また、本発明の携帯用炭酸水洗浄器とすることによって、要介護者の褥瘡治療のためのベット脇での温熱療法や、外出先での痔疾患者の排便後の始末等に使用することができる。
【手続補正９】
【補正対象書類名】明細書
【補正対象項目名】図面の簡単な説明
【補正方法】変更
【補正の内容】
【図面の簡単な説明】
【図１】本発明の携帯用炭酸水洗浄器の炭酸水添加部の一形態を示す断面図である。
【図２】本発明の携帯用炭酸水洗浄器の炭酸水添加部の他の形態を示す断面図である。
【図３】本発明の炭酸ガス添加部に使用する中空糸膜の一例を示す斜視図である。
【図４】本発明の炭酸ガス添加部に使用する中空糸膜モジュールの一例を示す概略構成図である。
【図５】削除
【図６】本発明の携帯用炭酸水洗浄器の一形態を示す斜視図である。
【図７】図６の携帯用炭酸水洗浄器の断面図である。
【図８】本発明の携帯用炭酸水洗浄器の他の形態を示す
【手続補正１０】
【補正対象書類名】図面
【補正対象項目名】図５
【補正方法】削除
【補正の内容】